(57)【要約】 【課題】構造が簡単で、且つ、清掃部材の交換性に優れる使い勝手の良い清掃用具を提供する。【解決手段】ヒンジ機構５により長手中央より２つに折り畳み可能と成された取付具２と、このヒンジ機構５を挟んで前記取付具２の両側に着脱自在に装着される清掃部材１と、前記取付具２を２つ折りした状態で、その折り畳み基部に着脱自在に連結される柄部３とで構成されている。【選択図】図４
2008173178.tif 000002
【特許請求の範囲】
【請求項１】
ヒンジ機構によって長手中央より２つに折り畳み可能と成された取付具と、このヒンジ機構を挟んで前記取付具の両側に着脱自在に装着される清掃部材と、折り畳まれた前記取付具の基部に着脱自在に連結される柄部とで構成されることを特徴とする清掃用具。
【請求項２】
前記取付具の前記清掃部材が装着される部分に、当該清掃部材の抜け落ちを防止するための凸部が設けられていることを特徴とする請求項１に記載の清掃用具。
【請求項３】
前記凸部は、前記取付具の折り畳み側に設けられていることを特徴とする請求項２に記載の清掃用具。
【発明の詳細な説明】
【技術分野】
【０００１】
本発明は、柄部と、この柄部の先端部に着脱可能に装着されて用いられる清掃部材とを備えた使い捨ての清掃用具に関するものである。
【背景技術】
【０００２】
従来、柄部の先端に汚れを取るための清掃部材を取り付けて、はたきやモップ等として使用する清掃用具が知られており、例えば、特許文献１に、シート状の
不織材を短冊状にしてはたきとしての機能を持たせた清掃部材を、柄の先端部に設けた軸体に着脱自在に装着した使い捨ての清掃用具が開示されている。
【０００３】
清掃部材の取り付けは、清掃部材の中心部に設けた筒状部に軸体へ挿入することにより行えるものであって、特許文献１には、柄の先端部に所定の隙間を持ってそれそれ平行する複数の軸体を備えて、これらの軸体にそれぞれ清掃部材を装着するようにした清掃用具が提案されている。
【特許文献１】特開平１０−２５８００９号公報
【発明の開示】
【発明が解決しようとする課題】
【０００４】
ところで、上述のような複数の軸体を有する構造は、軸体の数が多くなると成形金型の構造が複雑化すると共に、清掃部材を新規交換する場合に他の清掃部材が邪魔になって交換作業がしづらいという欠点があった。清掃部材の交換性の善し悪しは、使い捨ての清掃用具の使い勝手に大きく影響するものである。
【０００５】
本発明は、上記問題に鑑み成されたもので、清掃部材の取付構造が簡単で、且つ、清掃部材の交換性に優れる使い勝手の良い清掃用具を提供することを課題としている。
【課題を解決するための手段】
【０００６】
すなわち、請求項１に記載の発明は、ヒンジ機構によって長手中央より２つに折り畳み可能と成された取付具と、このヒンジ機構を挟んで前記取付具の両側に着脱自在に装着される清掃部材と、折り畳まれた前記取付具の基部に着脱自在に連結される柄部とで構成されることを特徴としている。
【０００７】
また、請求項２に記載の発明は、請求項１に記載の清掃用具において、前記取付具の前記清掃部材が装着される部分に、当該清掃部材の抜け落ちを防止するための凸部が設けられていることを特徴としている。
【０００８】
また、請求項３に記載の発明は、請求項２に記載の清掃用具において、前記凸部は、前記取付具の折り畳み側に設けられていることを特徴としている。
【発明の効果】
【０００９】
請求項１に記載の発明によれば、取付具を２つに折り畳み可能として、取付具の両側に清掃部材を装着するようにしたので、清掃部材を交換する際、取付具の片側に装着されている清掃部材が邪魔になることはなく、よって、清掃部材の着脱が容易に行える。加えて、清掃部材の装着終了後、取付具を折り畳むことによって、それぞれの清掃部材が一体化され、ボリュームアップされるため、清掃部材による清掃能力が強化される。
【００１０】
また、請求項２に記載の発明によれば、取付具に装着された清掃部材は、取付具の凸部によって抜け落ち難くなっており、特に、請求項３に記載の発明のように、この凸部を取付具の折り畳み側に設けることにより、折り畳み状態において各々の清掃部材は対向側の凸部にて押圧される状態となって取付具に確実に固定されるため、はたきがけのような激しい動作の清掃作業においても清掃部材が脱落する虞はなくなり、清掃作業が円滑に行えるようになる。
【発明を実施するための最良の形態】
【００１１】
以下、図１〜図８に基づいて本発明に係る清掃用具１０の実施形態を説明する。
【００１２】
図１〜図４に示すように、本実施形態による清掃用具１０は、汚れを拭うための清掃部材１と、この清掃部材１が装着される取付具２と、この取付具２を連結・保持する柄部３とを備え、はたきとして使用されるものである。
【００１３】
清掃部材１としては、短冊状に切断された不織布が用いられ、その中心部分に取付具２が取り付けされるＵ字形の筒状挿入部４が設けられている。
不織布として種々の材料が使用可能であるが、本実施形態では、マイクロファイバークロスが使用されている。マイクロファイバークロスは、極細のナイロンやポリエステルなどの繊維で構成されており、吸水性や通気性とともに極めて細かい塵を繊維表面に取り込む性質を有するため、清掃部材１に用いて好適である。
【００１４】
取付具２は、樹脂成形でなる細長棒状体であって、図５に示すように、長手中央の折り畳み基部６と、その両端部より２股状に延設された細長板状の取付軸１１とで構成されている。
【００１５】
折り畳み基部６は、半割筒状で、その扁平面６ａ側の長手中間部分に肉薄部によるヒンジ機構５が設けられており、このヒンジ機構５によって細長棒状の取付具２を２つに折り畳むことができるようになっている。取付具２が折り畳まれた状態では、図６に示すように、扁平面６ａが相互に合わさって折り畳み部５は円筒状となる。
また、この折り畳み基部６において、扁平面６ａの対向面となる曲面６ｂ側には、Ｕ字形の切り込み７により厚さ方向に弾性を付与した舌片８が形成され、これら舌片８の先端部分に、それぞれ楕円形の係止突起９が形成されている。
【００１６】
他方、２股状の取付軸１１は、それぞれがＶ字に交差するように扁平面６ａに対して所定の角度傾斜した状態で延設されており、その交差部であって取付具２の扁平面６ａ側（すなわち、折り畳み側）に、それぞれ先端部を尖らせた凸部１２が形成されている。
これら凸部１２は、それぞれヒンジ機構５に対して対称位置に設けられていて、取付具２を２つに折り畳んだ時にヒンジ機構５を挟む両側の凸部１２同士が当接するようになっている。
【００１７】
柄部３は、図８に示すように、握り部１３と、円筒状の折り畳み基部６が連結される円筒状の連結部１４とを備えた細長い棒状の樹脂成形品である。
連結部１４は、開口部側を幾分拡径させて連結の際に折り畳み基部６を挿入し易くしていると共に、その胴部の中間部分に、連結時に折り畳み基部６の係止突起９が嵌合・係止される楕円状の嵌合孔１６が設けられている。握り部１３の端部には、吊り下げ用の引掛孔１５が設けられている。
【００１８】
上記構成の清掃用具１０では、図２に示すように、取付具２を開いた状態にして、片側の取付軸１１に清掃部材１を装着する。清掃部材１の装着は、Ｕ字状の筒状挿入部４にそれぞれ取付軸１１を挿入すれば良く、着脱自在である。同じ要領で、図３に示すように、他方側の取付軸１１にも清掃部材１を装着する。
清掃部材１の装着終了後、図４に示すように、取付具２をヒンジ部分より２つに折り畳み、その折り畳み基部６に柄部３の連結部１４を挿入することにより、折り畳み基部６の係止突起９が連結部１４の嵌合孔１６に嵌合して、連結部分がロックされると共に、両側の清掃部材１、１が一つに重ね合わされ、清掃部材１がボリュームアップされる。
また、この折り畳み状態において、各清掃部材１の筒状挿入部４の部分がヒンジ機構５を挟んだ対向側の凸部１２にて押圧された状態となっており、よって、各清掃部材１は取付具２に確実に固定されている。
【００１９】
汚れなどで清掃部材１を新規交換するには、連結部１４に突出した突起９を指先で押圧して突起９と嵌合孔１６の嵌合によるロックを解除して、清掃部材１が装着された状態の取付具２を柄部３より取り外し、折り畳み状態の取付具２を開いた状態にして両側の清掃部材１を取り外すようにする。
【００２０】
以上、本実施形態によれば、ヒンジ機構５により、取付具２を２つに折り畳み可能として、取付具２の両側に清掃部材１を装着するようにしたので、清掃部材１を交換する際に、取付具２の片側に装着されている清掃部材１が邪魔になることはなく、よって、清掃部材１を容易に着脱することができる。
【００２１】
また、取付具２の両側に清掃部材１を装着した後、取付具２を２つに折り畳むことにより、それぞれの清掃部材１が一体化されボリュームアップされるため、清掃部材１による清掃能力が強化される。
このように、清掃部材１の取付構造は極めて簡単であるから、取付具２は単純な割型の成形金型を用いて安価に作製することができる。
【００２２】
また、使用状態（取付具２が２つに折り畳まれている状態）において、各清掃部材１の筒状挿入部４が対向側の凸部１２にて押圧された状態で、取付具２に確実に固定されているため、はたきがけのような激しい動作の清掃作業においても清掃部材１が脱落する虞はなく、清掃作業を円滑に行えるようになる。このように、本実施形態によれば、清掃部材１の交換性に優れる使い勝手の良い清掃用具１０を提供することができる。
【００２３】
また、本実施形態では、清掃用具１０としてはたきを説明したが、例えば、清掃部材１の素材を木綿等の糸を撚ったモップパイルを用いると、モップとして使用することもできる。
【図面の簡単な説明】
【００２４】
【図１】本発明に係る清掃用具の斜視図である。
【図２】取付具に清掃部材を装着する状態を示す斜視図である。
【図３】取付具の両側に清掃部を装着した状態を示す斜視図である。
【図４】清掃部材を装着した取付具と柄部を連結する状態を示す図である。
【図５】取付具の斜視図である。
【図６】取付具を２つに折り畳んだ状態を示す斜視図である。
【図７】取付具を示し、（ａ）は平面図、（ｂ）は側面図、（ｃ）は底面図、（ｄ）は側断面図である。
【図８】柄部を示し、（ａ）は平面図、（ｂ）は側断面図である。
【符号の説明】
【００２５】
１  清掃部材
２  取付具
３  柄部
５  ヒンジ機構
１０  清掃用具
１２  凸部
【図１】
2008173178.tif 000003
【図２】
2008173178.tif 000004
【図３】
2008173178.tif 000005
【図４】
2008173178.tif 000006
【図５】
2008173178.tif 000007
【図６】
2008173178.tif 000008
【図７】
2008173178.tif 000009
【図８】
2008173178.tif 000010